(57)【要約】      （修正有）【課題】耐熱性と強度性を有し、検針機に反応しにくい弱磁性の銅合金からなる肩紐用取付け具を提供する。【解決手段】肩紐５の端部に取付ける連結環１および肩紐５の途中部に取付ける長さ調整環２などの肩紐用取付け具である。丹銅にシリコンと錫を添加した銅合金により形成し樹脂コーティング３を施してある。【選択図】図４
0003104111.tif 000002
【実用新案登録請求の範囲】
【請求項１】
肩紐の端部に取付ける連結環および肩紐の途中部に取付ける長さ調整環などの肩紐用取付け具であって、丹銅にシリコンと錫を添加した銅合金により形成し樹脂コーティングを施してなることを特徴とする肩紐用取付け具。
【考案の詳細な説明】
【技術分野】
【０００１】
本考案は、ブラジャー、ブラスリップ、ボディスーツ、キャミソール、水着などの肩紐用取付け具に関するもので、さらに詳しくは、銅合金の弱磁性材料からなる肩紐用取付け具に関するものである。
【背景技術】
【０００２】
ここで言う肩紐用取付け具とは、カップ布の上端やバック布の上端に縫着された短テープ片に取付けられているいわゆる丸環や引っ掛け環と称する連結環、およびその連結環に肩紐の一方の端部を挿通して折り返し肩紐の途中に装着するいわゆるエイト環と称する長さ調整環の両者を含むものとする。
【０００３】
肩紐を有する代表的な下着の１つであるブラジャーには、カップ布と、そのカップに連設するバック布と、カップ布の上部先端とバック布の上部とを連結する左右一対の肩紐が取付けられている。この肩紐はバストが下方に垂れ下がるのを防ぎ、吊り上げて形を整える機能を有している。
【０００４】
その肩紐はカップ布の上端先端とバック布の上部に縫い付けられた短テープに連結環が取付けられてあり、肩紐の一端を連結環に通して折り返し、他端を肩紐の長さ調整環に通して止着されている。
【０００５】
その肩紐の取付けられたブラジャーは直接肌に着ける下着であり頻繁に洗濯が行われることから、連結環や長さ調整環は変形や破損をしない充分な強度性が要求されると共に、長期に亘って使用できる堅牢性も必要とされることから、一般的には、硬鋼板やステンレス鋼板が用いられている。
【０００６】
ところで、ブラジャー、ブラスリップ、ボディスーツ、キャミソール、水着などの衣料品は、縫製時にミシン針が折損したり、マチ針の抜き忘れを生じることがある。そのような折針やマチ針が残存すると、直接身に着けることから身体に突き刺さり重大な事故を招来する虞がある。そのため、上記のような衣料製品は必ず出荷前に検針機に通して折針やマチ針がないかどうか、を確認することを望まれている。
【０００７】
現在、流通しているブラジャーなどに使用されている肩紐用取付け具は、鉄製のもの殆どであり、検針機に対応している資材は、アウター業界などでは真鍮が一般的であるが、肩紐連結金具や胸部形状保持材としては強度が弱いために、非磁性化されたステンレスが使われている。（例えば、特許文献１参照）
【特許文献１】特開平７−３１６９０３号公報
【考案の開示】
【考案が解決しようとする課題】
【０００８】
しかしながら、非磁性ステンレスは、真鍮などと比べると、磁性が高いために検針時には数を流せない欠点があった。また、加工により磁性レベルが変動するために、安定して検針するためには、環境をかなりに整えなければならなかった。
【０００９】
本考案は、上記のような問題点を解決することを課題として開発されたもので、樹脂コーティング処理に耐え得る耐熱性と高強度性があると共に、検針機に反応しにくい弱磁性の銅合金からなる肩紐取付け具を提供することを目的とするものである。
【課題を解決するための手段】
【００１０】
上記の課題を解決し、その目的を達成する手段として、本考案は、肩紐の端部に設ける連結環および肩紐の途中部に設ける長さ調整環などの肩紐用取付け具であって、丹銅にシリコンと錫を添加した銅合金により形成し樹脂コーティングを施してなることを特徴とする肩紐用取付け具を開発し、採用した。
【００１１】
上記の連結環としては、図１に示すような丸環１ａ、長円環１ｂ、方形環１ｃ、側辺の一部を欠除して開口部を形成した引っ掛け環１ｄなどを用いることができる。また、長さ調整環２としては、図３に示すように、８字状の枠体２ａに中間フレーム２ｂを一体的に連設して上下に挿通孔２ｃ、２ｃを形成したいわゆるエイト環を用いる。
【００１２】
連結環１および調整環２には発錆を防ぐと共に、肌当りを良くするため樹脂コーティング３を施すが、その層着は連結環１および調整環２を加熱して、粉体樹脂の中に投入して樹脂を溶かして層着するもので、粉体樹脂としてはポリアミド樹脂またはポリエステル樹脂を用いるのが好適である。
【考案の効果】
【００１３】
本考案の肩紐取付け具は、丹銅にシリコンと錫を添加した銅合金であるから、ブラジャーなどの肩紐取付け具に用いると、弱磁性であるから従来のステンレス鋼と比べると、検針機に多くのブラジャーを流すことができ検針効率が良くなる。また、繰り返し行われる洗濯や長期の使用に際しても充分耐え得る強度性を持つことができ、さらに、樹脂コーティング処理の高温にも充分耐え得る耐熱性を有している。
【考案を実施するための最良の形態】
【００１４】
以下に、本考案の実施の形態を添付図面に基づいて説明すれば、９．５ｗｔ％のＺｎ，１．６ｗｔ％のＳi，０．３ｗｔ％のＳｎ，０．０６ｗｔ％のＣｏを含み、残部９０Ｃｕ１０Ｚnの化学成分からなる銅合金材料を得て、圧延を行って厚み０．６ｍｍの最終圧延材を得た。その圧延材に外径１５ｍｍ、内径１３ｍｍの寸法からなる円板をプレスで打ち抜き丸環１ａを得た。また、幅１５ｍｍ、高さ１０ｍｍ、上下の挿通孔を３ｍｍとした寸法からなる方形状をプレスで打ち抜きエイト環２を得た。
【００１５】
その丸環１ａおよびエイト環２を４００℃で２分の熱処理を施し、ポリアミド樹脂粉体の中に投入し、ポリアミド樹脂を溶かして０．２ｍｍ厚の白色コーティング層３を付着させた。
【００１６】
この丸環１ａをカップ布６，６とバック布７，７の上部に縫着した短テープ８，８に取付けて連結環１にすると共に、肩紐５の途中部にエイト環２を設けて左右一対の肩紐５，５を取付けたブラジャー４をコンベヤー型検針機（株式会社サンコウ電子研究所製）に通して、検針機が反応するかどうかを確認したところ、ブラジャー５枚まで流せることが確認でき、連結環１とエイト環２の単体では３０個まで流すことができ、従来のステンレス鋼の肩紐取付け具と比べて大幅に検針作業の効率が良くなった。
【００１７】
以上、本考案の一実施の形態について説明したが、本考案は、上記の実施の形態に限定されるものではなく、本考案の目的を達成でき且つ本発明の要旨を逸脱しない範囲内で種々の設計変更が可能である。
【産業上の利用可能性】
【００１８】
本考案は、ブラジャーだけでなく、ブラスリップ、ボディスーツ、キャミソール、水着などに取付けられる肩紐用取付け具にも利用できる。
【図面の簡単な説明】
【００１９】
【図１】各種の連結環の正面図である。
【図２】図１の正面中央拡大縦断面図である。
【図３】調整環の正面図である。
【図４】ブラジャーに取付けた状態の正面図である。
【符号の説明】
【００２０】
１  連結環
２  調整環
３  樹脂コーティング
５  肩紐
【図１】
0003104111.tif 000003
【図２】
0003104111.tif 000004
【図３】
0003104111.tif 000005
【図４】
0003104111.tif 000006